(57)【特許請求の範囲】
【請求項１】
内部に液体が貯留されている第一容器と、
前記第一容器の内部に貯留されている液体又は蒸気との熱交換により、液体を蒸発させ又は蒸気を凝縮する熱交換部と、
内部に液体が貯留される第二容器と、
前記第一容器と前記第二容器とを連通する第一連通部と、
内部が減圧されている減圧容器と前記第二容器とを連通する第二連通部と、を備え、前記第一容器、前記第二容器、前記第一連通部及び前記第二連通部が減圧されており、
前記熱交換部が前記第一容器の内部に貯留されている液体を蒸発させることで、前記第二容器に貯留された液体を加圧して液体を前記減圧容器に供給し、
前記熱交換部が前記第一容器の内部の蒸気を凝縮させることで、前記第一容器の内部を減圧し、前記減圧容器から液体を回収する液体輸送装置。
【請求項２】
内部に液体が貯留されている第一容器と、
前記第一容器の内部に貯留されている液体又は蒸気との熱交換により、液体を蒸発させ又は蒸気を凝縮する熱交換部と、
内部に液体が貯留される第二容器と、
前記第一容器と前記第二容器とを連通する第一連通部と、
内部が減圧されている減圧容器と前記第二容器とを連通する第二連通部と、
前記第二連通部を開閉する第一開閉部材と、
前記減圧容器に対して上方側へ配置され、内部に液体が貯留される第三容器と、
前記第二容器と前記第三容器とを連通する第三連通部と、
前記第三容器と前記減圧容器とを連通する第四連通部と、
前記第三連通部を開閉する第二開閉部材と、
前記第四連通部を開閉する第三開閉部材と、を備え、前記第一容器、前記第二容器、前記第三容器、前記第一連通部、前記第二連通部、第三連通部、及び第四連通部が減圧されており、
前記減圧容器に液体を供給する場合には、
前記第一開閉部材が前記第二連通部を閉止し、前記第二開閉部材が前記第三連通部を開放し、前記第三開閉部材が前記第四連通部を閉止し、前記熱交換部が前記第一容器の内部に貯留されている液体を蒸発させることで、前記第二容器に貯留された液体を加圧して前記第三容器に液体を供給し、
前記第三容器に液体が貯留された状態で、前記第二開閉部材が前記第三連通部を閉止し、前記第三開閉部材が前記第四連通部を開放することで、前記第三容器に貯留された液体を重力によって前記減圧容器に供給し、
前記減圧容器から液体を回収する場合には、
前記第一開閉部材が前記第二連通部を開放し、前記第二開閉部材が前記第三連通部を閉止し、前記第三開閉部材が前記第四連通部を閉止し、前記熱交換部が前記第一容器の内部の蒸気を凝縮させることで、前記第一容器の内部を減圧し、前記減圧容器から液体を回収する液体輸送装置。
【請求項３】
蒸気である吸着媒体を吸着し、吸着媒体を脱着する吸着材を備える吸着装置と、
内部が減圧されている減圧容器であって、液体を蒸発させて前記吸着材が吸着する吸着媒体を生成し、前記吸着材が脱着した吸着媒体を凝縮する蒸発凝縮器と、
前記蒸発凝縮器に液体を供給し、前記蒸発凝縮器から液体を回収する請求項１又は２に記載の液体輸送装置と、
を備えた吸着式ヒートポンプ。
【請求項４】
蒸気である吸着媒体を吸着し、吸着媒体を脱着する蓄熱材を備える蓄熱装置と、
内部が減圧されている減圧容器であって、液体を蒸発させて前記蓄熱材が吸着する吸着媒体を生成し、前記蓄熱材が脱着した吸着媒体を凝縮する蒸発凝縮器と、
前記蒸発凝縮器に液体を供給し、前記蒸発凝縮器から液体を回収する請求項１又は２に記載の液体輸送装置と、
を備えた蓄熱システム。
【発明の詳細な説明】
【技術分野】
【０００１】
本発明は、液体輸送装置、吸着式ヒートポンプ及び蓄熱システムに関する。
【背景技術】
【０００２】
特許文献１に記載の蓄熱装置は、内部が減圧されている蒸発凝縮器を備えている。そして、この蒸発凝縮器は、内部に水溜め（液層）を有している。
【先行技術文献】
【特許文献】
【０００３】
【特許文献１】特開２０１３−２１６７６３号公報
【発明の概要】
【発明が解決しようとする課題】
【０００４】
蒸発凝縮器を蒸発器として用いる場合は、熱媒が流れる流水管の少なくとも一部を蒸発凝縮器の内部の液層に配置しなければならない。一方、蒸発凝縮器を凝縮器として用いる場合には、流水管の少なくとも一部を気層に配置しなければならない。
【０００５】
このため、蒸発凝縮器の本体とは別に水溜めを設け、この水溜めから蒸発凝縮器に水を供給、蒸発凝縮器から水を回収することで蒸発凝縮器の液面の位置を調整することがある。このように、蒸発凝縮器とは別に水溜めを設けた場合に、ポンプを用いて水を輸送することが考えられるが、ポンプを用いて内部が減圧されている蒸発凝縮器（容器）に水を輸送すると、輸送される水（液体）に局所的な低圧部が生じ、キャビテーションが生じてしまうことある。
【０００６】
本発明の課題は、内部が減圧さえている減圧容器との間で液体を輸送する場合に、輸送される液体にキャビテーションが生じるのを抑制することである。
【課題を解決するための手段】
【０００７】
本発明の請求項１に係る液体輸送装置は、内部に液体が貯留されている第一容器と、前記第一容器の内部に貯留されている液体又は蒸気との熱交換により、液体を蒸発させ又は蒸気を凝縮する熱交換部と、内部に液体が貯留される第二容器と、前記第一容器と前記第二容器とを連通する第一連通部と、内部が減圧されている減圧容器と前記第二容器とを連通する第二連通部と、を備え、前記第一容器、前記第二容器、前記第一連通部及び前記第二連通部が減圧されており、前記熱交換部が前記第一容器の内部に貯留されている液体を蒸発させることで、前記第二容器に貯留された液体を加圧して液体を前記減圧容器に供給し、前記熱交換部が前記第一容器の内部の蒸気を凝縮させることで、前記第一容器の内部を減圧し、前記減圧容器から液体を回収することを特徴とする。
【０００８】
上記構成によれば、液体を減圧容器に供給する場合は、熱交換部が第一容器の内部に貯留されている液体を蒸発させる。そして、この蒸気が、第一連通部を通って第二容器に貯留される液体を加圧する。これにより、第二容器に貯留される液体が、第二連通部を通って減圧容器に供給される。
【０００９】
これに対して、液体を減圧容器から回収する場合は、熱交換部が第一容器の内部の蒸気を凝縮させる。これにより、第一容器の内部が減圧され、減圧容器の液体が第二連通部を通して第二容器に回収される。
【００１０】
このように、減圧系とされている液体輸送装置の内部で圧力を増減させることで、液体輸送装置が減圧容器に水を供給し、液体輸送装置が減圧容器から水を回収する。このため、減圧容器との間で液体を輸送する場合に、ポンプを用いて液体を輸送する場合と比して、輸送される液体にキャビテーションが生じるのを抑制することができる。
【００１１】
本発明の請求項２に係る液体輸送装置は、内部に液体が貯留されている第一容器と、前記第一容器の内部に貯留されている液体又は蒸気との熱交換により、液体を蒸発させ又は蒸気を凝縮する熱交換部と、内部に液体が貯留される第二容器と、前記第一容器と前記第二容器とを連通する第一連通部と、内部が減圧されている減圧容器と前記第二容器とを連通する第二連通部と、前記第二連通部を開閉する第一開閉部材と、前記減圧容器に対して上方側へ配置され、内部に液体が貯留される第三容器と、前記第二容器と前記第三容器とを連通する第三連通部と、前記第三容器と前記減圧容器とを連通する第四連通部と、前記第三連通部を開閉する第二開閉部材と、前記第四連通部を開閉する第三開閉部材と、を備え、前記第一容器、前記第二容器、前記第三容器、前記第一連通部、前記第二連通部、第三連通部、及び第四連通部が減圧されており、前記減圧容器に液体を供給する場合には、前記第一開閉部材が前記第二連通部を閉止し、前記第二開閉部材が前記第三連通部を開放し、前記第三開閉部材が前記第四連通部を閉止し、前記熱交換部が前記第一容器の内部に貯留されている液体を蒸発させることで、前記第二容器に貯留された液体を加圧して前記第三容器に液体を供給し、前記第三容器に液体が貯留された状態で、前記第二開閉部材が前記第三連通部を閉止し、前記第三開閉部材が前記第四連通部を開放することで、前記第三容器に貯留された液体を重力によって前記減圧容器に供給し、前記減圧容器から液体を回収する場合には、前記第一開閉部材が前記第二連通部を開放し、前記第二開閉部材が前記第三連通部を閉止し、前記第三開閉部材が前記第四連通部を閉止し、前記熱交換部が前記第一容器の内部の蒸気を凝縮させることで、前記第一容器の内部を減圧し、前記減圧容器から液体を回収することを特徴とする。
【００１２】
上記構成によれば、液体を減圧容器に供給する場合には、第一開閉部材が第二連通部を閉止し、第二開閉部材が第三連通部を開放し、第三開閉部材が第四連通部を閉止する。さらに、熱交換部が第一容器の内部に貯留されている液体を蒸発させる。そして、この蒸気が、第一連通部を通って第二容器に貯留される液体を加圧する。これにより、第二容器に貯留される液体が、第三連通部を通って第三容器に供給される。
【００１３】
さらに、第三容器に液体が貯留された状態で、第二開閉部材が第三連通部を閉止し、第三開閉部材が第四連通部を開放する。これにより、第三容器に貯留された液体が、重力によって第四連通部を通って減圧容器に供給される。
【００１４】
液体を減圧容器から回収する場合には、第一開閉部材が第二連通部を開放し、第二開閉部材が第三連通部を閉止し、第三開閉部材が第四連通部を閉止する。そして、熱交換部が第一容器の内部の蒸気を凝縮させる。これにより、第一容器の内部を減圧し、減圧容器の液体が第二連通部を通して第二容器に回収される。
【００１５】
このように、減圧系とされている液体輸送装置の内部で圧力を増減させることで、液体輸送装置が減圧容器に水を供給し、液体輸送装置が減圧容器から水を回収する。このため、減圧容器との間で液体を輸送する場合に、輸送される液体にキャビテーションが生じるのを抑制することができる。
【００１６】
本発明の請求項３に係る吸着式ヒートポンプは、蒸気である吸着媒体を吸着し、吸着媒体を脱着する吸着材を備える吸着装置と、内部が減圧されている減圧容器であって、液体を蒸発させて前記吸着材が吸着する吸着媒体を生成し、前記吸着材が脱着した吸着媒体を凝縮する蒸発凝縮器と、前記蒸発凝縮器に液体を供給し、前記蒸発凝縮器から液体を回収する請求項１又は２に記載の液体輸送装置と、を備えたことを特徴とする。
【００１７】
上記構成によれば、吸着式ヒートポンプが、請求項１又は２に記載の液体輸送装置を備えることで、蒸発凝縮器との間で輸送される液体にキャビテーションが生じるのが抑制される。これにより、蒸発凝縮器と吸着装置との間の吸着媒体の輸送効率が向上する。
【００１８】
蒸発凝縮器と吸着装置との間の吸着媒体の輸送効率が向上することで、例えば、吸着装置が吸着媒体を吸着する吸着工程において、蒸発凝縮器で生じる蒸発潜熱の量を増加させることができる。
【００１９】
本発明の請求項４に係る蓄熱システムは、蒸気である吸着媒体を吸着し、吸着媒体を脱着する蓄熱材を備える蓄熱装置と、内部が減圧されている減圧容器であって、液体を蒸発させて前記蓄熱材が吸着する吸着媒体を生成し、前記蓄熱材が脱着した吸着媒体を凝縮する蒸発凝縮器と、前記蒸発凝縮器に液体を供給し、前記蒸発凝縮器から液体を回収する請求項１又は２に記載の液体輸送装置と、を備えたことを特徴とする。
【００２０】
上記構成によれば、蓄熱システムが、請求項１又は２に記載の液体輸送装置を備えることで、蒸発凝縮器との間で輸送される液体にキャビテーションが生じるのが抑制される。これにより、蒸発凝縮器と蓄熱装置との間の吸着媒体の輸送効率が向上する。
【００２１】
蒸発凝縮器と蓄熱装置との間の吸着媒体の輸送効率が向上することで、例えば、蓄熱装置によって蓄熱される熱量を増加させることができる。
【発明の効果】
【００２２】
本発明によれば、内部が減圧さえている減圧容器との間で液体を輸送する場合に、輸送される液体にキャビテーションが生じるのを抑制することができる。
【図面の簡単な説明】
【００２３】
【図１】本発明の第１実施形態に係る液体輸送装置、及び吸着式ヒートポンプを示した構成図である。
【図２】本発明の第１実施形態に係る液体輸送装置、及び吸着式ヒートポンプを示した構成図である。
【図３】本発明の第１実施形態に係る液体輸送装置、及び吸着式ヒートポンプを示した構成図である。
【図４】本発明の第１実施形態に係る液体輸送装置、及び吸着式ヒートポンプを示した構成図である。
【図５】本発明の第２実施形態に係る液体輸送装置、及び吸着式ヒートポンプを示した構成図である。
【図６】本発明の第２実施形態に係る液体輸送装置、及び吸着式ヒートポンプを示した構成図である。
【図７】本発明の第２実施形態に係る液体輸送装置、及び吸着式ヒートポンプを示した構成図である。
【図８】本発明の第２実施形態に係る液体輸送装置、及び吸着式ヒートポンプを示した構成図である。
【図９】本発明の第３実施形態に係る液体輸送装置、及び吸着式ヒートポンプを示した構成図である。
【図１０】本発明の第３実施形態に係る液体輸送装置、及び吸着式ヒートポンプを示した構成図である。
【図１１】本発明の第３実施形態に係る液体輸送装置、及び吸着式ヒートポンプを示した構成図である。
【図１２】本発明の第３実施形態に係る液体輸送装置、及び吸着式ヒートポンプを示した構成図である。
【図１３】本発明の第３実施形態に係る液体輸送装置、及び吸着式ヒートポンプを示した構成図である。
【図１４】本発明の第４実施形態に係る液体輸送装置、及び蓄熱システムを示した構成図である。
【発明を実施するための形態】
【００２４】
＜第１実施形態＞
（構成）
本発明の第１実施形態に係る液体輸送装置及び吸着式ヒートポンプ（以下「ヒートポンプ」）の一例について図１〜図４を用いて説明する。なお、図中に示す矢印ＵＰは鉛直方向の上方側を示す。
【００２５】
第１実施形態に係るヒートポンプ１００は、図１に示されるように、水（液体の一例）を蒸発及び水蒸気を凝縮させる減圧容器の一例としての蒸発凝縮器８０と、蒸発凝縮器８０へ水を供給し、蒸発凝縮器８０から水を回収する液体輸送装置１０とを備えている。さらに、ヒートポンプ１００は、吸着装置９０を備えている。
【００２６】
そして、蒸発凝縮器８０、液体輸送装置１０、及び吸着装置９０は、内部が真空脱気され、大気圧と比して低い減圧系とされている。
【００２７】
〔吸着装置〕
吸着装置９０は、図１に示されるように、容器９２と、容器９２の内部に設けられた吸着材９４とを備えている。この吸着材９４としては、例えば、活性炭、メソポーラスシリカ、ゼオライト、シリカゲル、及び粘土鉱物等を用いることができる。
【００２８】
また、吸着装置９０は、吸着材９４との間で熱交換が行われる第一熱媒が流れる第一流路（図示省略）と、第二熱媒が流れる第二流路（図示省略）とを備えている。
【００２９】
具体的には、吸着材９４は、第一流路を流れる第一熱媒との熱交換により、蒸発凝縮器８０によって蒸発して容器９２に流れ込んだ水蒸気を吸着するようになっている。さらに、吸着材９４は、第二流路を流れる第二熱媒との熱交換により、吸着している水蒸気を脱着するようになっている。
【００３０】
〔蒸発凝縮器〕
蒸発凝縮器８０は、図１に示されるように、配管８８によって吸着装置９０の容器９２と連通している。そして、蒸発凝縮器８０は、内部に水が貯留される容器８２と、容器８２の内部に一部が配置され、流体が流れる流路管８４とを備えている。そして、容器８２は、底板８２Ａ、側板８２Ｂ及び天井板８２Ｃを含んで構成されている。
【００３１】
この構成において、図２に示されるように、流路管８４の少なくとも一部が容器８２の液層（水の中）に配置されている状態で、流路管８４を流れる一の流体と、容器８２の内部の水との熱交換により、水蒸気が生成されるようになっている。そして、この水蒸気が、吸着装置９０の容器９２の内部に流れ込むようになっている。
【００３２】
また、図４に示されるように、流路管８４の少なくとも一部が容器８２の気層に配置されている状態で、流路管８４を流れる他の流体と、吸着材９４が脱着して容器８２の内部に流れ込んだ水蒸気との熱交換により、水蒸気が凝縮されるようになっている。
【００３３】
〔液体輸送装置〕
液体輸送装置１０は、大気圧より低い減圧系とされ、図１に示されるように、内部に水が貯留されている第一容器１２と、内部に水が貯留される第二容器１４と、第一容器１２の内部に貯留されている水又は水蒸気との熱交換により、水を蒸発させ又は水蒸気を凝縮する熱交換部１６とを備えている。また、液体輸送装置１０は、第一容器１２の気層部と第二容器１４の気層部（内部に水が貯留された場合でも気層となる部分）とを連通する第一連通部の一例としての連通管１８と、第二容器１４の液層部（内部に水が貯留された場合に液層となる部分）と蒸発凝縮器８０とを連通する第二連通部の一例としての連通管２０とを備えている。この連通管２０は、容器８２の底板８２Ａに連結されている。
【００３４】
さらに、液体輸送装置１０は、連通管１８を開閉する開閉バルブ２２と、連通管２０を開閉する開閉バルブ２４とを備えている。なお、各図における開閉バルブ２２、２４については、閉状態が黒塗りで示され、開状態が白抜きで示されている。
【００３５】
また、熱交換部１６は、少なくとも一部が、第一容器１２の液層（水の中）又は気層に配置され、流体が流れる流路管１６Ａを備えている。そして、この流路管１６Ａに予め決められた温度の流体を流すことで、この流体と第一容器１２の内部に貯留されている水又は水蒸気との熱交換により、水を蒸発させ又は水蒸気を凝縮するようになっている。
【００３６】
（作用）
次に、液体輸送装置１０の作用について、液体輸送装置１０を用いて蒸発凝縮器８０に水（液体の一例）を供給する方法、及び液体輸送装置１０を用いて蒸発凝縮器８０から水を回収する方法によって説明する。
【００３７】
〔水の供給〕
先ず、液体輸送装置１０を用いて蒸発凝縮器８０に水を供給する方法について説明する。なお、蒸発凝縮器８０に水を供給するのは、蒸発凝縮器８０が水蒸気を生成する場合である。
【００３８】
水を蒸発凝縮器８０に供給する前の状態では、図１に示されるように、開閉バルブ２２、２４は、閉状態とされ、第二容器１４の内部には水が貯留されている。
【００３９】
そして、蒸発凝縮器８０の内部の温度、及び圧力は、一例として、５〔℃〕、０．９〔ｋＰａ〕となっている。そして、蒸発凝縮器８０の内部は、水蒸気と水とが平衡状態となる環境となっている。
【００４０】
さらに、流路管１６Ａに決められた温度の流体を流すことで、第一容器１２の内部の温度及び圧力は、一例として、５０〔℃〕、１２．０〔ｋＰａ〕とされている。そして、第一容器１２の内部は、水蒸気と水とが平衡状態となる環境となっている。この状態で、図２に示されるように、開閉バルブ２２、２４が閉状態から開状態とされる。
【００４１】
そして、第一容器１２の内部の圧力と蒸発凝縮器８０の内部の圧力との差により、第一容器１２の内部の水が蒸発し、この水蒸気が、連通管１８を通って、第二容器１４の内部に貯留されている水の液面を押圧する。なお、水蒸気は、第二容器１４の液面で凝縮するが、凝縮熱は、液相熱伝導のみであるため、凝縮する量は、最小限に抑えられる。
【００４２】
さらに、第二容器１４の内部に貯留されている水の液面が押圧されることで、第二容器１４の内部に貯留されている水が、連通管２０を通って蒸発凝縮器８０の容器８２の内部に供給される。
【００４３】
そして、流路管８４を流れる流体と容器８２の内部の水との熱交換により、水蒸気が生成される。この水蒸気が、吸着装置９０の容器９２の内部に流れ込む。
【００４４】
なお、蒸発凝縮器８０への水の供給を終了する場合には、開閉バルブ２２、２４が開状態から閉状態とされる。これにより、蒸発凝縮器８０への水の供給が終了する。
【００４５】
〔水の回収〕
次に、液体輸送装置１０を用いて蒸発凝縮器８０から水（液体の一例）を回収する方法について説明する。なお、蒸発凝縮器８０から水を回収するのは、蒸発凝縮器８０が水蒸気を凝縮する場合である。
【００４６】
水を蒸発凝縮器８０から回収する前の状態では、図３に示されるように、開閉バルブ２２、２４は、閉状態とされ、第二容器１４の内部には水が貯留されていない。第二容器１４に貯留されていた水が、液体輸送装置１０を用いて蒸発凝縮器８０に水を供給する際に、蒸発凝縮器８０に全て供給されたからである。
【００４７】
そして、吸着装置９０が水蒸気を脱気することで、蒸発凝縮器８０の内部の温度及び圧力は、一例として、９０〔℃〕、６９．０〔ｋＰａ〕となっている。そして、蒸発凝縮器８０の内部は、水蒸気と水とが平衡状態となる環境となっている。
【００４８】
さらに、流路管１６Ａに決められた温度の流体を流すことで、第一容器１２の内部の温度及び圧力は、一例として、５０〔℃〕、１２．０〔ｋＰａ〕とされている。そして、第一容器１２の内部は、水蒸気と水とが平衡状態となる環境となっている。
【００４９】
そして、吸着材９４が脱着した水蒸気が配管８８を通って蒸発凝縮器８０の容器８２の内部に流れ込むと、図４に示されるように、水蒸気が、流路管８４を流れる流体との熱交換により凝縮する。
【００５０】
この状態で、開閉バルブ２２、２４が閉状態から開状態とされる。
【００５１】
これにより、第一容器１２の内部の圧力と蒸発凝縮器８０の内部の圧力との差により、第一容器１２の内部で水蒸気が凝縮される。第一容器１２の内部で水蒸気が凝縮することで、第一容器１２の内部が減圧される。これにより、容器８２の内部で凝縮することで生成された水が、連通管２０を通って、第二容器１４の内部に流れ込み、第二容器１４の内部に貯留される。このようにして、蒸発凝縮器８０によって凝縮した水が回収される。
【００５２】
さらに、第二容器１４の内部に貯留された水の一部が、第二容器１４の液面で蒸発する。なお、水が第二容器１４の液面で蒸発が、蒸発熱の液面への供給は液相熱伝導のみであるため、蒸発する量は、最小限に抑えられる。
【００５３】
また、第二容器１４の内部で蒸発した水蒸気は、連通管１８を通って第一容器１２の内部に貯留されている水の液面で凝縮する。
【００５４】
なお、蒸発凝縮器８０からの水の回収を終了させる場合には、開閉バルブ２２、２４が開状態から閉状態とされる。これにより、蒸発凝縮器８０からの水の回収が終了する。
【００５５】
〔ヒートポンプ〕
次に、ヒートポンプ１００の作用について説明する。
【００５６】
ここで、ヒートポンプの作用については、ヒートポンプ１００が２個設けられる場合を例にとって説明する。
【００５７】
図２に示されるように、一方の吸着装置９０では、吸着材９４が、第一熱媒との熱交換により、吸着装置９０の容器９２の内部に供給された水蒸気を吸着する。そして、吸着材９４が水蒸気を吸着することで、吸着材９４は、水蒸気を吸着しつつ発熱（放熱）する（吸着工程）。
【００５８】
これに対して、図４に示されるように、他方の吸着装置９０では、吸着材９４が、第二熱媒との熱交換により、吸着している水蒸気を脱着する。そして、吸着材９４が水蒸気を脱着することで、吸着材９４は、水蒸気を脱着しつつ吸熱する（脱着工程）。
【００５９】
次に、水蒸気を吸着した吸着材９４が、水蒸気を脱着し、水蒸気を脱着した吸着材９４が水蒸気を吸着する。このように、一方の吸着材９４が吸着・脱着を繰り返し、他方の吸着材９４が脱着・吸着を繰り返す。
【００６０】
これにより、吸着工程において、蒸発凝縮器８０の流路管８４を流れる流体が冷却される。
【００６１】
（まとめ）
以上説明したように、液体輸送装置１０は、減圧系とされている液体輸送装置１０の内部で圧力が増減させて、蒸発凝縮器８０へ水を供給し、蒸発凝縮器８０から水を回収する。このため、例えば、ポンプ等を用いて水を輸送する場合と比して、輸送される水に負荷される圧力の増減が抑制される。これにより、内部が減圧されている蒸発凝縮器８０との間で水を輸送する場合に、輸送される水にキャビテーションが生じるのを抑制することができる。
【００６２】
また、輸送される水にキャビテーションが生じるのが抑制されることで、水の輸送効率を向上させることができる。
【００６３】
また、ヒートポンプ１００においては、蒸発凝縮器８０と液体輸送装置１０との間の水の輸送効率が向上することで、ヒートポンプ１００の熱効率を向上させることができる。
【００６４】
また、ヒートポンプ１００の熱効率が向上することで、例えば、吸着材９４が水蒸気を吸着する吸着工程において、蒸発凝縮器８０の流路管８４を流れる流体を効果的に冷却することができる。
【００６５】
＜第２実施形態＞
次に、本発明の第２実施形態に係る液体輸送装置及びヒートポンプの一例について図５〜図８を用いて説明する。なお、第１実施形態と同一部材等については、同一符号を付してその説明を省略し、第１実施形態と異なる部分を主に説明する。
【００６６】
（構成）
第２実施形態に係るヒートポンプ２００に備えられた液体輸送装置１１０の蒸発凝縮器８０は、図５に示されるように、鉛直方向において、第二容器１４の上方側に配置されている。
【００６７】
そして、液体輸送装置１１０は、第二容器１４の気層部（内部に水が貯留された場合でも気層となる部分）と蒸発凝縮器８０の容器８２とを連通する第二連通部の一例としての連通管１２０を備えている。この連通管１２０は、容器８２の底板８２Ａに連結されている。さらに、液体輸送装置１１０は、第二容器１４の液層部（内部に水が貯留された場合に液層となる部分）と蒸発凝縮器８０の容器８２とを連通する第二連通部の一例としての連通管１２４を備えている。この連通管１２４は、容器８２の側板８２Ｂに連結されている。
【００６８】
さらに、液体輸送装置１１０は、連通管１２０を開閉する開閉バルブ１２２と、連通管１２４を開閉する開閉バルブ１２６とを備えている。
【００６９】
（作用）
次に、液体輸送装置１１０の作用について説明する。
【００７０】
〔水の供給〕
水を蒸発凝縮器８０に供給する前の状態では、図５に示されるように、開閉バルブ２２、１２２、１２６は、閉状態とされ、第二容器１４の内部には水が貯留されている。
【００７１】
この状態で、水を蒸発凝縮器８０に供給する場合には、図６に示されるように、開閉バルブ２２、１２６が閉状態から開状態とされる。
【００７２】
これにより、第一容器１２の内部の圧力と蒸発凝縮器８０の内部の圧力との差により、第一容器１２の内部の水が蒸発し、この水蒸気が、連通管１８を通って、第二容器１４の内部に貯留されている水の液面を押圧する。
【００７３】
さらに、第二容器１４の内部に貯留されている水の液面が押圧されることで、第二容器１４の内部に貯留されている水が、連通管１２４を通って蒸発凝縮器８０の容器８２の内部に供給される。
【００７４】
なお、蒸発凝縮器８０への水の供給を終了する場合には、開閉バルブ２２、１２６が開状態から閉状態とされる。これにより、蒸発凝縮器８０への水の供給が終了する。
【００７５】
〔水の回収〕
水を蒸発凝縮器８０から回収する前の状態では、図７に示されるように、開閉バルブ２２、１２２、１２６は、閉状態とされ、第二容器１４の内部には水が貯留されていない。
【００７６】
この状態で、水を蒸発凝縮器８０から回収する場合には、図８に示されるように、開閉バルブ２２、１２２が閉状態から開状態とされる。
【００７７】
これにより、第一容器１２の内部の圧力と蒸発凝縮器８０の内部の圧力との差により、第一容器１２の内部で水蒸気が凝縮される。第一容器１２の内部で水蒸気が凝縮することで、第一容器１２の内部が減圧される。そして、容器８２の内部で凝縮することで生成された水が、連通管１２０を通って、第二容器１４の内部に流れ込み、第二容器１４の内部に貯留される。
【００７８】
また、第二容器１４の内部に貯留された水の一部が、第二容器１４の液面で蒸発する。さらに、第二容器１４の内部で蒸発した水蒸気は、連通管１８を通って第一容器１２の内部に貯留されている水の液面で凝縮する。このようにして、蒸発凝縮器８０によって凝縮した水が回収される。
【００７９】
なお、蒸発凝縮器８０からの水の回収を終了させる場合には、開閉バルブ２２、２４が開状態から閉状態とされる。これにより、蒸発凝縮器８０からの水の回収が終了する。
【００８０】
＜第３実施形態＞
次に、本発明の第３実施形態に係る液体輸送装置及びヒートポンプの一例について図９〜図１３を用いて説明する。なお、第２実施形態と同一部材等については、同一符号を付してその説明を省略し、第２実施形態と異なる部分を主に説明する。
【００８１】
（構成）
第３実施形態に係るヒートポンプ３００に備えられた液体輸送装置２１０は、図９に示されるように、内部に水が貯留される第三容器２１２を備えている。この第三容器２１２は、鉛直方向において、蒸発凝縮器８０の上方側に配置されている。
【００８２】
そして、液体輸送装置２１０は、第二容器１４の液層部と第三容器２１２を連通する第三連通部の一例としての連通管２１４を備えている。さらに、液体輸送装置２１０は、第三容器２１２の液層部と蒸発凝縮器８０の容器８２とを連通する第四連通部の一例としての連通管２１８とを備えている。この連通管２１８は、容器８２の側板８２Ｂに連結されている。
【００８３】
さらに、液体輸送装置２１０は、連通管２１４を開閉する第二開閉部材の一例としての開閉バルブ２１６と、連通管２１８を開閉する第三開閉部材の一例としての開閉バルブ２２０とを備えている。
【００８４】
（作用）
次に、液体輸送装置２１０の作用について説明する。
【００８５】
〔水の供給〕
水を蒸発凝縮器８０に供給する前の状態では、図９に示されるように、開閉バルブ２２、２１６、２２０は、閉状態とされ、第二容器１４の内部には水が貯留されている。
【００８６】
そして、蒸発凝縮器８０の内部の温度及び圧力は、一例として、５〔℃〕、０．９〔ｋＰａ〕となっている。また、第二容器１４の内部の温度及び圧力は、一例として、５〔℃〕、０．９〔ｋＰａ〕となっている。さらに、第三容器２１２の内部の温度及び圧力は、一例として、５〔℃〕、０．９〔ｋＰａ〕となっている。このように、蒸発凝縮器８０の内部の温度及び圧力と、第二容器１４の内部の温度及び圧力と第三容器２１２の内部の温度及び圧力とは同様とされている。そして、蒸発凝縮器８０、第二容器１４、及び第三容器２１２の内部は、水蒸気と水とが平衡状態となる環境となっている。
【００８７】
この状態で、水を蒸発凝縮器８０に供給する場合には、図１０に示されるように、開閉バルブ２２、２１６が閉状態から開状態とされる。
【００８８】
そして、第一容器１２の内部の圧力と第二容器１４の内部の圧力との差により、第一容器１２の内部の水が蒸発し、この水蒸気が、連通管１８を通って、第二容器１４の内部に貯留されている水の液面を押圧する。
【００８９】
さらに、第二容器１４の内部に貯留されている水の液面が押圧されることで、第二容器１４の内部に貯留されている水が、連通管２１４を通って第三容器２１２の内部に供給される。そして、第二容器１４の内部に貯留されていた水が、全て第三容器２１２の内部に供給されると、図１１に示されるように、開閉バルブ２２、２１６が開状態から閉状態とされ、さらに、開閉バルブ２２０が閉状態から開状態とされる。
【００９０】
これにより、第三容器２１２に貯留されていた水が、重力により、連通管２１８を通って蒸発凝縮器８０に供給される。
【００９１】
なお、蒸発凝縮器８０への水の供給を終了する場合には、開閉バルブ２２０が開状態から閉状態とされる。これにより、蒸発凝縮器８０への水の供給が終了する。
【００９２】
〔水の回収〕
水を蒸発凝縮器８０から回収する前の状態では、図１２に示されるように、開閉バルブ２２、１２２、２１６、２２０は、閉状態とされ、第二容器１４の内部及び第三容器２１２の内部には水が貯留されていない。第二容器１４及び第三容器２１２に貯留されていた水が、液体輸送装置２１０を用いて蒸発凝縮器８０に水を供給する際に、蒸発凝縮器８０に全て供給されたからである。
【００９３】
この状態で、水を蒸発凝縮器８０から回収する場合には、図１３に示されるように、開閉バルブ２２、１２２が閉状態から開状態とされる。
【００９４】
これにより、第一容器１２の内部の圧力と蒸発凝縮器８０の内部の圧力との差により、第一容器１２の内部で水蒸気が凝縮される。第一容器１２の内部で水蒸気が凝縮することで、第一容器１２の内部が減圧される。そして、容器８２の内部で凝縮することで生成された水が、連通管１２０を通って、第二容器１４の内部に流れ込み、第二容器１４の内部に貯留される。
【００９５】
第二容器１４の内部に貯留された水の一部が、第二容器１４の液面で蒸発する。第二容器１４の内部で蒸発した水蒸気は、連通管１８を通って第一容器１２の内部に貯留されている水の液面で凝縮する。このようにして、蒸発凝縮器８０によって凝縮した水が回収される。
【００９６】
なお、蒸発凝縮器８０からの水の回収を終了させる場合には、開閉バルブ２２、１２２が開状態から閉状態とされる。これにより、蒸発凝縮器８０からの水の回収が終了する。
【００９７】
＜第４施形態＞
次に、本発明の第４施形態に係る液体輸送装置及び蓄熱システムの一例について図１４を用いて説明する。なお、第１施形態と同一部材等については、同一符号を付してその説明を省略し、第１実施形態と異なる部分を主に説明する。
【００９８】
（構成）
第４実施形態に係る蓄熱システム４００は、図１４に示されるように、水（液体の一例）を蒸発及び凝縮させる蒸発凝縮器８０と、蒸発凝縮器８０へ水を供給、蒸発凝縮器８０から水を回収する液体輸送装置１０とを備えている。さらに、蓄熱システム４００は、蓄熱装置３９０を備えている。
【００９９】
そして、蒸発凝縮器８０、液体輸送装置１０、及び蓄熱装置３９０は、内圧が大気圧と比して低い減圧系とされている。
【０１００】
〔蓄熱装置〕
蓄熱装置３９０は、図１４に示されるように、内部が真空脱気された容器３９２と、容器３９２の内部に配置されている蓄熱材３９４とを備えている。この蓄熱材３９４としては、例えば、活性炭、メソポーラスシリカ、ゼオライト、シリカゲル、及び粘土鉱物等を用いることができる。
【０１０１】
また、蓄熱装置３９０は、蓄熱材３９４との間で熱交換が行われる第一熱媒が流れる第一流路（図示省略）と、第二熱媒が流れる第二流路（図示省略）とを備えている。
【０１０２】
具体的には、蓄熱材３９４は、第一流路を流れる第一熱媒との熱交換より、蒸発凝縮器８０によって蒸発して容器３９２に流れ込んだ水蒸気を吸着することで放熱するようになっている。さらに、蓄熱材３９４は、第二流路を流れる第二熱媒との熱交換により、吸着している水蒸気を脱着することで蓄熱するようになっている。
【０１０３】
この蓄熱装置３９０に供給される水蒸気の生成、蓄熱装置３９０から排出される水蒸気の凝縮については、第１実施形態の吸着装置９０に供給される水蒸気の生成、吸着装置９０から排出される水蒸気の凝縮と同様である。
【０１０４】
この蓄熱システム４００においては、蒸発凝縮器８０と液体輸送装置１０との間の水の輸送効率が向上することで、蓄熱システム４００の熱効率が向上する。
【０１０５】
また、蓄熱システム４００の熱効率が向上することで、例えば、蓄熱装置３９０によって蓄熱される熱量を増加させることができる。
【０１０６】
なお、本発明を特定の実施形態について詳細に説明したが、本発明はかかる実施形態に限定されるものではなく、本発明の範囲内にて他の種々の実施形態をとることが可能であることは当業者にとって明らかである。例えば、上記実施形態では、内部が減圧されている減圧容器として、蒸発凝縮器８０を例として説明したが、他の減圧容器に液体を供給、他の減圧容器から液体を回収する場合に液体輸送装置１０、１１０、２１０を用いてもよい。
【０１０７】
また、上記第２、３実施形態では、連通管１２０を用いて、容器８２と第二容器１４とを連通したが、例えば、容器８２の隔壁と第二容器１４の隔壁とを接触させ、隔壁に貫通孔を形成することで連通してもよい。
【０１０８】
また、上記第３実施形態では、連通管２１８を用いて、容器８２と第三容器２１２とを連通したが、例えば、容器８２と第三容器２１２とを接触させ、貫通孔を形成することで連通してもよい。
【０１０９】
また、上記実施形態では、吸着媒体の一例として水蒸気を例として説明したが、例えば、アンモニア等であってもよい。
【０１１０】
また、上記第４実施形態の蓄熱システム４００は、液体輸送装置１０を備えたが、液体輸送装置１１０、又は２１０を備えてもよい。
【０１１１】
また、上記実施形態では特に説明しなかったが、三方弁等を用いることで、一の連通管の一部と他の連通管の一部とを共用してもよい。
【０１１２】
また、上記第１実施形態では、第一容器１２に貯留されている液体と、蒸発凝縮器８０へ供給される液体とが同様であったが、種類の異なる液体であってもよい。
【０１１３】
また、上記実施形態では、蒸発凝縮器８０が、一体であったが、水を蒸発させる蒸発部と水蒸気を凝縮する凝縮部が別体であってもよい。この場合には、蒸発部に水が供給され、凝縮部から水が回収される。
【０１１４】
また、上記実施形態では、第二容器１４の内部に貯留された水が無くなるまで、水が蒸発凝縮器８０に供給されたが、第二容器１４に水が残ってもよい。
【符号の説明】
【０１１５】
１０      液体輸送装置
１２      第一容器
１４      第二容器
１６      熱交換部
１８      連通管（第一連通部の一例）
２０      連通管（第二連通部の一例）
８０      蒸発凝縮器（減圧容器の一例）
９０      吸着装置
１００          吸着式ヒートポンプ
１１０          液体輸送装置
１２０          連通管（第二連通部の一例）
１２２          開閉バルブ（第一開閉部材の一例）
１２４          連通管（第二連通部の一例）
２００           吸着式ヒートポンプ
２１０          液体輸送装置
２１２          第三容器
２１４          連通管（第三連通部の一例）
２１６          開閉バルブ（第二開閉部材の一例）
２１８          連通管（第四連通部の一例）
２２０          開閉バルブ（第三開閉部材の一例）
３００          吸着式ヒートポンプ
３９０          蓄熱装置
３９４          蓄熱材
４００          蓄熱システム
【図１】
0006299664.tif 000002
【図２】
0006299664.tif 000003
【図３】
0006299664.tif 000004
【図４】
0006299664.tif 000005
【図５】
0006299664.tif 000006
【図６】
0006299664.tif 000007
【図７】
0006299664.tif 000008
【図８】
0006299664.tif 000009
【図９】
0006299664.tif 000010
【図１０】
0006299664.tif 000011
【図１１】
0006299664.tif 000012
【図１２】
0006299664.tif 000013
【図１３】
0006299664.tif 000014
【図１４】
0006299664.tif 000015